(57)【要約】【課題】損傷または破壊を防ぐ改良型電気コネクタを提供すること。【解決手段】電気コネクタ１０が、少なくとも１つの電気接点１４を収容するための少なくとも１つのチャンバ、およびチャンバの入り口領域に配置され、コネクタをはめ込むときそれを通って電気接点が差し込まれる、または突き刺される密封部を有する。接点が差し込まれる、または引き抜かれるとき変位される密封用材料のためにそれぞれの場合に、接点差し込み方向で見て密封部の直後および／または直前に接点差し込み方向に対して横方向に広げられた受容領域が設けられる。【選択図】図１
2005203372.tif 000002
【特許請求の範囲】
【請求項１】
少なくとも１つの電気接点（１４）を収容するための少なくとも１つのチャンバ（１２）と、チャンバ（１２）の入り口領域に配置され、コネクタ（１０）をはめ込むときそれを通って電気接点（１４）が差し込まれる、または突き刺される密封部（１６）を有する電気コネクタ（１０）であって、
接点が差し込まれる、または引き抜かれるとき変位される密封用材料のために、それぞれの場合に、接点差し込み方向で見て密封部（１６）の直後および／または直前に接点差し込み方向（ＫＳ）に対して横方向に広げられた受容領域（１８、２０）が設けられることを特徴とする電気コネクタ。
【請求項２】
それぞれの受容領域（１８、２０）の断面が密封部（１６）に向かう方向で増大することを特徴とする、請求項１に記載のコネクタ。
【請求項３】
接点差し込み方向（ＫＳ）で見て後部の受容領域（１８）が密封部（１６）とチャンバ（１２）の間に配置されることを特徴とする、請求項１または２に記載のコネクタ。
【請求項４】
後部受容領域（１８）が接合部を含むことを特徴とする、請求項１から３のいずれか一項に記載のコネクタ。
【請求項５】
前部受容領域（２０）が接合部を含むことを特徴とする、請求項１から４のいずれか一項に記載のコネクタ。
【請求項６】
後部受容領域（１８）が、コネクタ（１０）をはめ込んだとき少なくとも実質的に密封用材料がチャンバ内に巻き込まれないようなサイズに設計されることを特徴とする、請求項１から５のいずれか一項に記載のコネクタ。
【請求項７】
前部受容領域（２０）が、少なくとも１つの接点用開口（２４）を備えたコネクタの前部の壁（２６）の内側に配置されることを特徴とする、請求項１から６のいずれか一項に記載のコネクタ。
【請求項８】
前部の壁（２６）が一体型ヒンジフラップ（２８）によって形成されることを特徴とする、請求項７に記載のコネクタ。
【請求項９】
後部受容領域（１８）が、互いに対向して配置され、かつ密封部（１６）に向かう方向で広がる２つの壁（１８’、１８”）によって境界を画すことを特徴とする、請求項１から８のいずれか一項に記載のコネクタ。
【請求項１０】
前部受容領域（２０）が、互いに対向して配置され、かつ密封部（１６）に向かう方向で広がる２つの壁（２０’、２０”）によって境界を画すことを特徴とする、請求項１から９のいずれか一項に記載のコネクタ。
【請求項１１】
密封部（１６）がブロックシールによって形成されることを特徴とする、請求項１から１０のいずれか一項に記載のコネクタ。
【請求項１２】
接点差し込み方向（ＫＳ）で見て密封部（１６）が少なくとも２つの層（１６1、１６2）に分割されることを特徴とする、請求項１から１１のいずれか一項に記載のコネクタ。
【請求項１３】
各電気接点（１４）の領域で、接点差し込み方向（ＫＳ）で見て密封部（１６）が接点差し込み方向で互いに距離（ａ）で隔てられた少なくとも２つの差し込み領域（３０）に分割されることを特徴とする、請求項１から１２のいずれか一項に記載のコネクタ。
【請求項１４】
全体として密封部（１６）が少なくとも２つの進路または層（１６1、１６2）に分割され、接点差し込み方向（ＫＳ）で互いに距離（ａ）で隔てられた差し込み領域（３０）がこれらの進路または層（１６1、１６2）の上に配分されることを特徴とする、請求項１３に記載のコネクタ。
【請求項１５】
付随する電気接点（１４）のためのそれぞれの差し込み領域（３０）が開口（３２）を備え、その最大径が当該接点（１４）の最大横方向測定値よりも小さいこと、特に、接点（１４）が設けられる当該リードの外径よりも小さいことが好ましいことを特徴とする、請求項１から１４のいずれか一項に記載のコネクタ。
【発明の詳細な説明】
【技術分野】
【０００１】
本発明は、少なくとも１つの電気的接点を収容するための少なくとも１つのチャンバと、コネクタをはめ込むとき電気的接点が差し込まれる、または突き刺されるチャンバの入り口領域内に配置された密封部とを有する電気コネクタに関する。
【背景技術】
【０００２】
従来式のこのタイプの電気コネクタでは、コネクタをはめ込むとき、すなわち電気的接点を対応するチャンバ内に挿入するとき変位される密封用材料が当該チャンバ内に突き通され、これは、比較的高い差し込み力を必要とし、それが結果的に当該コネクタの故障に等しい損傷または破壊にさえつながる可能性がある。高い差し込み力はまた、とりわけ、接点を備えたリードがわずかに捻れ、所望の当該電気接続を達成するとき接点がもはや適切に差し込まれなくなり得る危険性を生じさせる。特定の接点をそれに付随するチャンバに差し込むとき密封部が入り口側のエッジおよびチャンバの壁の領域で押しつぶされ、それに応じて破壊される可能性があるということのために、当該チャンバに水が浸入する可能性があり、その結果、コネクタの有用性は少なくとも大幅に損なわれる。また、この場合も変位される密封用材料の押しつぶれのため、電気的接点が引き抜かれるとき密封部の損傷または破壊が生じる可能性がある。
【発明の開示】
【発明が解決しようとする課題】
【０００３】
本発明の目的は、前述された問題が可能な限り最も単純で信頼性のある形で除外される、冒頭で識別されたタイプの改良型電気コネクタを提供することである。
【課題を解決するための手段】
【０００４】
この課題は本発明に従って解決され、そこでは接点が差し込まれ、または引き抜かれるとき、変位される密封用材料のために、それぞれの場合に差し込み方向で見て密封部の後部および／または直前部に接点差し込み方向に対して横方向に広げられた受容領域が設けられる。
【０００５】
この手段によって、どの特定の電気接点が挿入されるとき変位される密封用材料も後部の受容領域に収容され、それにより、前記材料はもはや関連するチャンバ内に巻き込まれる可能性がない。したがって、密封部への損傷は考慮から外される。付け加えると、所望の領域の差し込み力は比較的小さく保たれる。どの特定の前部受容領域によっても、電気接点が引き抜かれるとき密封部への損傷が生じないことはやはり保証される。
【０００６】
どの特定の受容領域の断面も、密封部に向かう方向に有効に増大する。したがって、後部受容領域に関して、これはチャンバに向かう端面よりも密封部に向かう端面で、より大きい開口断面を有することが可能である。前部受容領域に関して、これは他方、例えば挿入用開口に向かう端面よりも密封部に向かう端面で、より大きい開口断面を有することが可能である。
【０００７】
接点差し込み方向で見た後部受容領域は特に密封部とチャンバの間、または密封部と入り口側のチャンバのエッジの間に配置することが可能である。
後部受容領域は特に接合部などを含むことが可能である。同じことが前部受容領域に当てはまる。後者はまた、例えば、接合などによって形成される可能性もある。
【０００８】
後部受容領域は、コネクタをはめ込むとき少なくとも密封用材料が実質的にチャンバ内に巻き込まれないようなサイズに設計されることが好ましい。
前部受容領域は、特に、少なくとも１つの接点用開口を備えたコネクタの前面の内側に配置することが可能である。この前面は例を挙げると一体型ヒンジフラップなどで形成することが可能である。
【０００９】
本発明によるコネクタの好ましい実践的実施形態では、互いに対向して配置され、かつ密封部の方向で密封のために広がっている２つの壁によって後部受容領域は境界を画す。必要であれば、互いに対向して配置され、かつ密封部の方向で密封するために広がっているそのような２つの壁によって前部受容領域が境界設けられることが可能である。
【００１０】
密封部は例えばブロックシールによって形成することが可能であり、あるいは接点差し込み方向から見て少なくとも２つの層または進路に分けられることが可能である。
もしも密封部が接点差し込み方向から見たいずれかの特定の電気接点の領域で、接点差し込み方向で互いに隔てられた少なくとも２つの差し込み領域に分割されるならばそれもやはり特に有利である。もしも全体として密封部が少なくとも２つの層または進路に分割されるならば、接点差し込み方向で互いに隔てられた差し込み領域はこれらの層または進路上に配分することが可能である。
【００１１】
本発明によるコネクタの有用な実践的実施形態では、付随する電気接点のためのどの特定の差し込み領域も開口部を備え、その最大径は当該接点の横方向最大径よりも小さいこと、特に接点が設けられる当該リードの外径よりも小さいことが好ましい。
【００１２】
本発明はすべての密封型コネクタに使用することが可能であり、その密封部はブロックシールによって形成されるか、あるいは複数の層または進路に分割される。
範例となる実施形態に基づいて、本発明が図面を参照しながら以下でさらに詳細に説明される。
【発明を実施するための最良の形態】
【００１３】
図１から１０は電気コネクタ１０の例示的な実施形態を示しており、これは例えばプラグイン型コネクタであることが可能である。
電気コネクタ１０は電気接点１４を収容するための複数のチャンバ１２、およびチャンバ１２の入り口領域に配置された密封部１６を含む。電気コネクタ１０をはめ込むとき、電気接点１４はこの密封部１６を通して差し込まれ、または突き刺される。
【００１４】
接点差し込み方向ＫＳから見て密封部１６の直後に、どの特定の電気接点１４が差し込まれるときも変位される密封用材料のために、接点差し込み方向ＫＳに対して横方向に広げられた受容領域１８が設けられる。
【００１５】
別法として、あるいは追加的に、それぞれの場合に接点差し込み方向ＫＳに対して横方向に広げられた受容領域２０を、やはり密封部１６の直前部にも設けることが可能である。そのような前部の受容領域２０は、どの特定の接点１４が引き抜かれるときも変位される密封用材料を収容することに役立つ。
【００１６】
特に図１、３、および１０でわかるように、各受容領域１８、２０の断面は密封部１６に向かう方向で増大する。
特に図１および１０でわかるように、接点差し込み方向ＫＳから見て各後部受容領域１８は密封部１６とそれに付随するチャンバ１２の間、または密封部１６と入り口側のチャンバ１２のエッジ２２の間に配置される。
【００１７】
後部受容領域１８は、例えば接合部を有することが可能である。それに応じて、前部受容領域２０を、例えば接合などによって形成することもやはり可能である。
ここで、後部受容領域１８は、電気コネクタ１０をはめ込むとき少なくとも密封用材料が実質的にチャンバ１２内に巻き込まれないようなサイズに設計されることが好ましい。
【００１８】
前部受容領域２０は、接点用開口２４を備えた電気コネクタ１０の前部の壁２６の内側に配置される。このようにすることによって、前部の壁２６は例えば一体型ヒンジフラップ２８などによって形成することが可能である。
【００１９】
図１および１０で最もよくわかるように、この場合には後部受容領域１８は、互いに対向して配置され、かつ密封部１６に向かう方向で広がる２つの壁１８’、１８”によって境界を画す。
【００２０】
同様に、互いに対向して配置され、かつ密封部１６に向かう方向で広がる（特に図１および４参照）２つの壁２０’、２０”によって前部受容領域２０もまた境界を画すことが可能である。
【００２１】
密封部１６はブロックシールによって形成する、あるいは接点差し込み方向ＫＳで見て複数の層または進路に分割することが可能である。この例示的な実施形態では、接点差し込み方向ＫＳで見て密封部１６は２つのそのような層１６1、１６2（特に図１、３、および４〜７参照）に分割される。
【００２２】
さらに、接点差し込み方向ＫＳで見てどの特定の電気接点１４の領域でも、密封部１６は接点差し込み方向ＫＳで互いに隔てられた少なくとも２つの差し込み領域３０に分けることが可能である（特に図１参照）。この場合には、２つのそのような差し込み領域３０への分割が与えられる。
【００２３】
この例示的な実施形態では、例えば、密封部１６は２つの層または進路１６1、１６2に分割され、接点差し込み方向ＫＳで互いに隔てられた差し込み領域３０がこれらの層または進路１６1、１６2の上に配分される。
【００２４】
例えば、どの特定の差し込み領域３０も付随する電気接点１４用の開口３２を備えることが可能である（特に図１および３〜５参照）。そのような開口３２の最大径は当該電気接点１４の最大横方向測定値よりも小さいこと、特に接点１４が設けられる当該リードの外径よりも小さいことが好ましい。
【００２５】
図１は概略の断面の例示で電気コネクタ１０を示しており、そこでは明瞭化のために電気接点１４（例えば図２参照）は除外されている。コネクタ１０に挿入することが可能な対応する電気接点は例示的な形で図２に示される。
【００２６】
図３は縦方向の断面で概略的に電気コネクタ１０を示している。この場合にもやはり、明瞭化のために電気接点１４（やはり、特に図２参照）が除外されている。
図２の双方向矢印は、電気接点１４が差し込まれる、または引き抜かれるとき変位される密封用材料が後部受容領域１８または前部受容領域２０に収容されることを示している。
【００２７】
図４は透視図で電気コネクタ１０の概略の部分図を示しており、密封部１６を通って差し込まれる電気接点１４もまた示されている。この場合には、電気接点１４は一体型ヒンジフラップ２８の開口２４を通して密封部１６までのみ押し通されるが、その後方へは差し込まれない。
【００２８】
図５は、電気接点１４が密封部１６の第１の層１６1を通過するまで挿入されている場面の電気コネクタ１０を示している。
図６は、電気接点１４が密封部１６の両方の層１６1、１６2を通過するまで挿入されている場面の電気コネクタ１０を示している。
【００２９】
図７は、電気接点１４が、一方の端部で当該チャンバ１２の中に突き出し、他方の端部の領域を密封部１６によって囲まれる最終位置まで到達した場面の電気コネクタ１０を示している。
【００３０】
図８は開状態の一体型ヒンジフラップ２８を備えた電気コネクタ１０の一部分の概略的平面図を示している。この場合には、明瞭化のために電気接点１４および密封部１６は除外されている。
【００３１】
図８の例示は特に、互いに対向して配置され、かつ密封部１６に向かう方向で広がる２つの壁１８’、１８”を示しており、それらは横方向に後部受容領域１８の境界を画す。
図９は一体型ヒンジフラップ２８の一部の内側を概略的に示している。図９の例示は、互いに対向して配置され、かつ密封部１６に向かう方向で広がる２つの壁２０’、２０”を示しており、それらは横方向に前部受容領域２０の境界を画す。
【００３２】
図１０は電気コネクタ１０のチャンバ１２の縦方向断面を概略的に再び示しており、後部受容領域１８がこのチャンバ１２に隣接している。この場合には、当該電気接点を挿入すると変位される密封用材料のためにそれぞれのチャンバで空間が、例えば約２０％増大している。
【００３３】
この場合には、受容領域１８、２０は例えば台形の断面を有する（例えば図１および１０参照）。しかしながら一般則として、これらの受容領域１８、２０の断面はどのような他の形状を有する可能性もある。したがって、例えば、これらの領域が長方形、長円形、円形、楕円形などとなるように設計することもやはり可能である。
【図面の簡単な説明】
【００３４】
【図１】電気コネクタの例示的な実施形態の断面を概略的に例示する図であり、明瞭化のために電気接点は除外されている。
【図２】図１による電気コネクタに差し込まれる電気接点を概略的に例示する図である。
【図３】図１による電気コネクタの縦方向断面を概略的に例示する図であり、明瞭化のためにやはり電気接点は除外されている。
【図４】図１による電気コネクタの概略の部分的透視図であり、密封部を突き通る電気接点もまた例示されている。
【図５】密封部の２つの層のうちの一方を通り抜けるまで電気接点が挿入された場面の電気コネクタの、図４のそれと対比される具体例を示す図である。
【図６】密封部の両方の層を通り抜けるまで電気接点が挿入された場面の電気コネクタの、図４のそれと対比される具体例を示す図である。
【図７】電気接点が、一方の端部で当該チャンバの中に突き出し、他方の端部の領域を密封部によって囲まれる最終位置まで到達した場面の電気コネクタの、図４のそれと対比される具体例を示す図である。
【図８】図１による電気コネクタの一部を示す概略の平面図であり、一体型の開状態のヒンジフラップを備えており、明瞭化のために電気接点および密封部は除外されている。
【図９】一体型ヒンジフラップの一部の内側を概略的に示す図である。
【図１０】図１による電気コネクタのチャンバの縦方向断面を概略的に例示する図であり、受容領域がこのチャンバに隣接している。
【符号の説明】
【００３５】
１０  電気コネクタ
１２  チャンバ
１４  電気接点
１６  密封部
１６1、１６2  層、進路
１８  後部受容領域
１８’、１８”、２０’  壁
２０  前部受容領域
２０”  入り口側エッジ
２４  接点用開口
２６  前部の壁
２８  一体型ヒンジフラップ
３０  差し込み領域
３２  開口
ａ  間隔
ＫＳ  接点差し込み方向
【図１】
2005203372.tif 000003
【図２】
2005203372.tif 000004
【図３】
2005203372.tif 000005
【図４】
2005203372.tif 000006
【図５】
2005203372.tif 000007
【図６】
2005203372.tif 000008
【図７】
2005203372.tif 000009
【図８】
2005203372.tif 000010
【図９】
2005203372.tif 000011
【図１０】
2005203372.tif 000012